(57)【特許請求の範囲】
【請求項１】
ボルト挿通孔を有した台座部と、該台座部の一方の端部より下方に延びた脚部と、該脚部の下端より前記台座部の下方側に延びた挟持片とを有した挟持部材を一対備え、前記台座部どうしを重合しボルト、ナットで固定することで、折板屋根の頂部より突出した突出部を前記挟持片どうしで挟持して、該突出部に固定されるようになっている屋根上物品取付具であって、
前記ボルトは軸部が上方に突出するようにボルト挿通孔に挿通されており、
前記一対の挟持部材は同一形状とされ、それぞれの挟持部材には、前記台座部の下方で前記挟持片の上方にボルト落下防止部が形成されており、
前記台座部は、前記ボルト挿通孔より前記台座部の側端に通じる切欠溝が形成され、該切欠溝を介して、前記脚部が延出された上段部と、下段部とを連設した形状とされており、
前記ボルトが前記切欠溝に沿って前記ボルト挿通孔にスライド装着された一方の挟持部材と、他方の挟持部材とが、前記切欠溝どうしが相互差し込みされた状態で、前記下段部が下方に配せられるように交差状に重合する構造とされることを特徴とする屋根上物品取付具。
【発明の詳細な説明】
【技術分野】
【０００１】
本発明は、折板屋根の頂部より突出した突出部を挟持片どうしで挟持して、その突出部に固定されるようにした屋根上物品取付具に関する。
【背景技術】
【０００２】
この種の屋根上物品取付具として、たとえば特許文献１に開示されているように、一対の挟持部材を組み合わせてなるものがある。
【０００３】
図９に示すように、この種の屋根上物品取付具１００は、一対の挟持部材１１０、１１０の台座部１１１、１１１どうしを重合し、ボルト１０１、ナット１０２で固定することで、一対の挟持片１１２、１１２が折板屋根の頂部（不図示）より突出したハゼ部（不図示）などの突出部を両側より挟持する構成となっている。なお、図９中の１０４は平ワッシャー、１０５はばねワッシャーである。
【０００４】
この屋根上物品取付具１００は、ボルト１０１と突出部の接触を回避するために、ボルト１０１は台座部１１１のボルト挿通孔（不図示）に対し下方より装着され、上方に突き出たボルト１０１の軸部１０１ａにナット１０２止めする構成となっている。
【０００５】
このように、ボルト１０１を上方に向けて装着する構造であるため、ナット１０２をボルト１０１に取り付ける前段階においてボルト１０１が落下しないように、落下防止プレート１０３（図９（ｂ）の拡大斜視図参照）を取り付けることが通例となっている。
【先行技術文献】
【特許文献】
【０００６】
【特許文献１】特開２０００−１２０２３５号公報
【発明の概要】
【発明が解決しようとする課題】
【０００７】
しかしながら、落下防止プレート１０３はプラスチック製の薄く小さな小物部材であるため、紛失しやすい。また、屋根上への取り付けに際し必須の部材ではないので、屋根上物品取付具１００を構成する一式の部材として管理されないこともあり、必要なときに在庫なしとなるおそれがある。また、プラスチック製の薄い部材であるため、取り付けの際に損傷することもある。両挟持部材１１０、１１０をいったん合体させた後に分離する場合には、落下防止プレート１０３の取り外しはしにくく、取り外しの際にも割れなどの破損が生じるおそれもある。
【０００８】
本発明は、このような事情を考慮して提案されたもので、その目的は、落下防止プレートなどの小物部材を使用することなくボルトの落下を防止できる屋根上物品取付具を提供することにある。
【課題を解決するための手段】
【０００９】
上記目的を達成するために、請求項１に記載の屋根上物品取付具は、ボルト挿通孔を有した台座部と、台座部の一方の端部より下方に延びた脚部と、脚部の下端より台座部の下方側に延びた挟持片とを有した挟持部材を一対備え、台座部どうしを重合しボルト、ナットで固定することで、折板屋根の頂部より突出した突出部を挟持片どうしで挟持して、突出部に固定されるようになっている屋根上物品取付具であって、ボルトは軸部が上方に突出するようにボルト挿通孔に挿通されており、一対の挟持部材は同一形状とされ、それぞれの挟持部材には、台座部の下方で挟持片の上方にボルト落下防止部が形成されており、台座部は、ボルト挿通孔より台座部の側端に通じる切欠溝が形成され、切欠溝を介して、脚部が延出された上段部と、下段部とを連設した形状とされており、ボルトが切欠溝に沿ってボルト挿通孔にスライド装着された一方の挟持部材と、他方の挟持部材とが、切欠溝どうしが相互差し込みされた状態で、下段部が下方に配せられるように交差状に重合する構造とされるこことを特徴とする。
【００１０】
（削除）
【００１１】
（削除）
【発明の効果】
【００１２】
請求項１に記載の屋根上物品取付具によれば、上述の構成となっているため、挟持部材どうしの結合作業の際に、落下防止プレートなどの小物部材を使用することなくボルトの落下を防止することができる。
【００１３】
また、請求項１に記載の屋根上物品取付具によれば、台座部を交差状に重合するタイプの屋根上物品取付具において、落下防止プレートを用いることなく、ボルトの落下を防止することができる。
【００１４】
（削除）
【図面の簡単な説明】
【００１５】
【図１】本発明の一実施形態に係る屋根上物品取付具の分解斜視図である。
【図２】屋根上物品取付具を構成する一対の挟持部材の結合手順を示す斜視図である。
【図３】屋根上物品取付具の屋根への取り付け手順（１／３）を示す正面図である。
【図４】屋根上物品取付具の屋根への取り付け手順（２／３）を示す正面図である。
【図５】屋根上物品取付具の屋根への取り付け手順（３／３）（取り付けられた状態）を示す正面図である。
【図６】本発明の他の実施形態に係る屋根上物品取付具の分解斜視図である。
【図７】屋根上物品取付具の屋根への取り付け状態を示す正面図である。
【図８】本発明の参考例に係る屋根上物品取付具の説明図である。（ａ）は挟持部材の分解斜視図、（ｂ）は屋根上物品取付具の屋根への取り付け状態を示す正面図である。
【図９】（ａ）（ｂ）は、従来の屋根上物品取付具の説明図である。
【発明を実施するための形態】
【００１６】
以下に、本発明の実施の形態について、添付図面をもとに説明する。まず、全実施形態に共通する基本構成について説明する。
【００１７】
屋根上物品取付具１は、ボルト挿通孔１１ａを有した台座部１１と、台座部１１の一方の端部より下方に延びた脚部１３と、脚部１３の下端より台座部１１の下方側に延びた挟持片１４とを有した挟持部材１０を一対備えている。屋根上物品取付具１は、台座部１１、１１どうしを重合しボルト３１、ナット３２で固定することで、折板屋根４０の頂部４２より突出した突出部４５、４７を挟持片１４どうしで挟持して、突出部４５、４７に固定されるようになっている。
【００１８】
台座部１１、１１どうしを重合、固定するためのボルト３１は、ボルト挿通孔１１ａに軸部３１ｂが上方に突出するように挿通されるようになっている。そして、挟持部材１０には、台座部１１の下方で挟持片１４の上方にボルト落下防止部（折曲片１２）が形成されている。
【００１９】
ついで、各実施形態について説明する。まず、図１〜図５に示した実施形態に係る屋根上物品取付具１の構成、構造について説明する。
【００２０】
この屋根上物品取付具１は、図３〜図５に示すように、折板屋根４０の上に取り付けられる取付具である。
【００２１】
この折板屋根４０は、山部４１と谷部４３とが交互に連続する屋根であって、複数の屋根材を山部４１の頂部４２においてハゼ連結してなる屋根である。なお、４９は折板屋根４０の形状を下方より保持する保持部材である。
【００２２】
屋根上物品取付具１は、折板屋根４０の頂部４２の上方に突出したハゼ部４５よりなる突出部に取り付け固定されるようになっている。
【００２３】
屋根上物品取付具１は、上述したように、主たる構成部材として一対の挟持部材１０、１０を備え、これらがボルト３１、ナット３２で固定されるようになっている。
【００２４】
本実施形態のものは、一対の挟持部材１０、１０が同一形状とされ、挟持部材１０のそれぞれは、平面視で方形状の台座部１１と、その一方の端部（１辺縁部）より下方に延びた脚部１３と、脚部１３の下端より台座部１１とほぼ平行に、台座部１１の下方側に延びた挟持片１４とを備えている。
【００２５】
台座部１１は、脚部１３を設けた辺縁部の対辺となる辺縁部に、下方にＬ字状に折曲された折曲片１２を備えている。台座部１１の脚部１３側の辺縁部と折曲片１２側の辺縁部とのほぼ中央には、それら辺縁に平行であり傾斜面を有した段差部１１ｃが形成されており、折曲片１２を延設したほうの平板部１１ｅが脚部側の平板部１１ｄよりも低い位置に配されている。
【００２６】
段差部１１ｃのほぼ中央には両平板部１１ｄ、１１ｅに跨るようにボルト挿通孔１１ａが開設されており、そのボルト挿通孔１１ａから段差部１１ｃに沿って、脚部１３側の辺縁部に隣接する側端（辺縁部）のうちの一方の側端の外方に連通する切欠溝１１ｂが形成されている。
【００２７】
ボルト挿通孔１１ａの脚部１３側の平板部１１ｄ側の縁部は、ボルト３１の軸部３１ｂの形状に合致するように丸く形成されているが、ボルト挿通孔１１ａの平板部１１ｅ側の縁部は角形状となっている。
【００２８】
折曲片１２は、台座部１１の辺縁部より下方にＬ字状に延びてなり、その横片１２ａは台座部１１の平板部１１ｅにほぼ平行に延びている。なお、この横片１２ａの正面視における寸法は、図５に示すように、屋根上物品取付具１を屋根上に取り付けた際に、両挟持部材１０、１０の横片１２ａ、１２ａ間に隙間ができる程度であればよい。換言すれば、図５の状態で横片１２ａ、１２ａの先端どうしが接触せず、かつ隙間にボルト頭３１ｃが通らないものであればよい。また、縦片１２ｂの寸法は、両挟持部材１０、１０を固定するボルト３１のボルト頭３１ｃを収容でき、かつ横片１２ａがハゼ部４５との接触を回避できる程度の寸法であればよい。
【００２９】
この折曲片１２がボルト落下防止部を構成する。なお、折曲片１２は、同一形状とされ、両挟持部材１０、１０を結合させた際に、横片１２ａがボルト頭３１ｃを下方より覆い隠す程度の寸法であればよい。
【００３０】
脚部１３はやや外側に開くように下方に延びている（図１参照）。また、挟持片１４は台座部１１の下方において、台座部１１の中ほどの下方位置まで延び、その先端には上方に突出した押圧部１４ａが形成されている（図１参照）。
【００３１】
このような構造の挟持部材１０、１０を２つ組み合わせることで挟持具Ａが構成される。なお、図例に示したように、一対の挟持部材１０、１０は同一形状である。
【００３２】
挟持具Ａは、一対の挟着部材１０、１０を、挟持片１４、１４が開閉自在となるように支点連結することで形成される。具体的には、図２に示すように、一方の挟持部材１０に、ボルト３１を切欠溝１１ｂにスライド挿入させてボルト挿通孔１１ａに取り付けておき、両挟持部材１０、１０の台座部１１、１１の切欠溝１１ｂ、１１ｂどうしを相互に差し込み、台座部１１、１１を交差状に重合することで、挟持具Ａが形成される。図２に示すように、折曲片１２が形成されているため、ボルト３１は１つの挟持部材１０に装着された状態でも落下しにくい。
【００３３】
このように２つの挟持部材１０、１０を組み合わせ連結した状態では、図３に示すように、正面視で切欠溝１１ｂ、１１ｂの部位が支点となって、ハサミのごとく開閉動作をさせることができる。
【００３４】
この状態では両挟持部材１０、１０の台座部１１、１１の折曲片１２、１２を延設させたほうの平板部１１ｅ、１１ｅはいずれもが下側に配され、２つのボルト挿通孔１１ａ、１１ａにより形成された重合ボルト貫通孔の下面側の開口は、両ボルト挿通孔１１ａ、１１ａの縁部の角形状により、ボルト３１の根角部３１ａが嵌まり込むような四角形状に形成される。
【００３５】
ボルト３１、ナット３２の螺着により、両台座部１１、１１が重合、固定され、両挟持部材１０、１０は固定した状態に連結される。なお、連結のためのその他の部材として、平ワッシャー３４、ばねワッシャー３５が用いられる。また、ボルト３１としては、図例に示したような根角ボルトを用いることが望ましい。
【００３６】
挟持具Ａは、このように両挟持部材１０、１０が連結、固定された状態で、折板屋根４０のハゼ部４５に固定される。以下、この手順について、図３〜図５にもとづいて説明する。
【００３７】
まず、図３に示すように、一対の挟持部材１０、１０を図２の手順で連結して挟持具Ａを形成し、挟持具Ａが開閉自在となる状態にしておく。図３に示した挟持具Ａにおいては、ボルト３１は重合したボルト挿通孔１１ａ、１１ａに挿通されているが、ナット３２で仮止めはされておらず、ボルト３１は下方にずり落ちて折曲片１２の横片１２ａによって下方より支持された状態にある。
【００３８】
このように、ボルト３１は折曲片１２（ボルト落下防止部）で支持されているので、プラスチック製の落下防止プレートなどを用いなくても、ボルト３１が抜け落ちることはなく、作業をしやすくできる。特に、一対の挟持部材１０、１０と、ボルト３１とを用いて図３の状態にするまでの間に、ボルト３１が滑り落ちるようなことがないので便利である。また、その後のナット３２止め作業もボルト３１落ちを気にしなくてもよく、作業がしやすい。また、ナット３２止めせずに、ボルト３１と両挟持部材１０、１０とを仮結合した状態で保管、梱包しても、ボルト３１外れが発生するおそれはない。
【００３９】
こうして挟持部材１０、１０を仮結合した後、図４に示すように、上方に突出したボルト３１の軸部３１ｂに、平ワッシャー３４、ばねワッシャー３５を取り付け、ナット３２を螺合し仮止めする。
【００４０】
つぎに、図４に示すように、挟持具Ａを、挟持片１４、１４間が開いた状態で、折板屋根４０の頂部４２の上に、両挟持片１４、１４でハゼ部４５を両側より挟み込むように載せ置く。
【００４１】
そして、その状態でボルト３１を上方に引っ張り、根角部３１ａをボルト貫通孔の角形状の開口に嵌め込み、ボルト３１が回り止めされた状態でナット３２を締め付けていく。そうすると、支点連結された両挟持部材１０、１０の両台座部１１、１１が平行に近づくように重合していき、それと同時に両脚部１３、１３が閉じるとともに挟持片１４、１４間が狭まっていき、その結果、各挟持片１４、１４はハゼ部４５の起立基部４５ａの外面に徐々に押し付けられていく。なお、ナット３２で締め付ける際には、根角部３１ａが開口から外れないように、台座部１１、１１と折曲片１２、１２とで囲まれた空間に指またはドライバーなどの工具を挿入してボルト頭３１ｃを下方より支持しておくことが望ましい。
【００４２】
ナット３２を螺合していくことで両脚部１３、１３がさらに締め付けられ、各挟持片１４、１４の押圧部１４ａ、１４ａの横方向の外面がハゼ部４５の起立基部４５ａの外面にさらに押し付けられる。
【００４３】
そして、ナット３２をボルト３１にしっかりと螺着することで、重合した両台座部１１、１１どうしが上下方向にしっかりと重合、固定され、それと同時に、両挟持片１４、１４はその先端がハゼ部４５の起立基部４５ａを両側より押圧した状態に固定される（図５参照）。
【００４４】
こうして、屋根上物品取付具１は折板屋根４０のハゼ部４５に取り付け固定される。そして、台座部１１の上方に突出したボルト３１の軸部３１ｂには、太陽光パネル取り付け用のレール（不図示）や、種々の屋根上物品（不図示）の取り付けが可能となる。
【００４５】
つぎに、図６および図７にもとづいて、折板屋根４０の頂部４２より突出したボルト体４７に取り付ける屋根上物品取付具１について説明する。
【００４６】
この折板屋根４０は、隣接する両屋根材を山部４１で重ね、ボルト体４７で連結固定した重ね式の連設構造となっている。山部４１の頂部４２にはボルト体４７の軸部４７ａが突出し、そのボルト体４７が座金付きナット４８で固定してある。
【００４７】
屋根上物品取付具１は、このようなボルト体４７の軸部４７ａで構成された突出部に対応した構造となっている。具体的には、挟持部材１０の挟持片１４の形状が図１のものとは異なる形状となっている。なお、挟持部材１０の挟持片１４以外の部位については図１のものと同形状、同構造であるため、それらの形状、構造については説明を割愛する。また、この屋根上物品取付具１の取り付け手順についても図１のものと概ね同様であるため、折板屋根４０に取り付けられた状態のみを図示し、取り付け手順の図示および説明は割愛する。
【００４８】
挟持部材１０の挟持片１４は、先端に向けてやや上方に傾斜している。これは、挟持片１４、１４が座金付きナット４８との接触を回避し、確実にボルト体４７の軸部４７ａを挟持できるようにするためである。
【００４９】
挟持片１４の先端の中央には、ボルト体４７の軸部４７ａを係止するための係止凹部１４ｂが形成されている。係止凹部１４ｂの底部には、やや上方に切り起こされた係止爪１４ｃが形成されている。挟持具Ａは、挟持部材１０、１０の締め付けによって、両挟持片１４、１４の両係止凹部１４ｂ、１４ｂがボルト体４７の軸部４７ａを挟持するとともに、係止爪１４ｃ、１４ｃが軸部４７ａのねじ溝に係止することで、ボルト体４７に固定されるようになっている。なお、ボルト体４７の軸部４７ａに対する固定構造は、係止凹部１４ｂによるものには限られず、種々の構造を採用することができる。
【００５０】
ついで、参考例に係る屋根上物品について、図８（ａ）（ｂ）をもとに説明する。
【００５１】
この屋根上物品取付具１は、図１のものと同様に折板屋根４０のハゼ部４５に取り付けられるものである。この折板屋根４０については図１に示したものと同様であるため、説明を割愛する。
【００５２】
この屋根上物品取付具１は、一対の挟持部材１０、１０を含んでなるが、その形状は図１のものとは異なる。また、両挟持部材１０、１０は相互間で形状が異なる。
【００５３】
挟持部材１０はいずれも、ボルト挿通孔１１ａを有した台座部１１と、その端部より下方に延びた脚部１３と、その下端より台座部１１の下方に台座部１１とほぼ平行に延びた挟持片１４とを備えている。この挟持片１４については、図１に示した挟持部材１０の挟持片１４と概ね同形状である。
【００５４】
また、挟持具Ａを形成した際に台座部１１が下側に配される一方の挟持部材１０には、台座部１１より延出、折曲されてなるＬ字状の折曲片１２が形成されている。この折曲片１２がボルト落下防止部を構成する。なお、他方の挟持部材１０には折曲片１２は形成されていない。
【００５５】
いずれの挟持部材１０、１０の台座部１１、１１と脚部１３、１３にも、台座部１１、１１の開放側の端部から脚部１３、１３の下端におよぶ外面側に膨らんだ凸リブ１６、１６が形成されている。なお、折曲片１２の縦片１２ｂにも凸リブ１６が延びている。凸リブ１６の裏面側は凹部となっており、両挟持部材１０、１０の台座部１１、１１を上下に重ねることで、一方の凸リブ１６が他方の凸リブ１６の裏側に嵌合するようになっている。
【００５６】
このように、本屋根上物品取付具１の挟持具Ａは、台座部１１、１１の一方の全体が上に、他方の全体が下に配せられて重合する構造となっている。そして、図１のものと同様に、両挟持部材をボルト３１、ナット３２で締め付けて、ハゼ部４５に取り付けられるようになっている。
【００５７】
この屋根上物品取付具１についても、縦片１２ｂと横片１２ａとよりなるＬ字状の折曲片１２（ボルト落下防止部）を有しているので、作業中のボルト３１の落下を防止することができる。
【００５８】
このような上下重合型の挟持具Ａを、図６、図７のようなボルト体４７への固定構造に設計変形することで、重ね式連設構造の折板屋根４０に対応した屋根上物品取付具を構成することもできる。
【符号の説明】
【００５９】
１          屋根上物品取付具
Ａ          挟持具
１０        挟持部材
１１        台座部
１１ａ      ボルト挿通孔
１１ｂ      切欠溝
１２        折曲片（ボルト落下防止部）
１３        脚部
１４        挟持片
１６        凸リブ
３１        ボルト
３１ａ      根角部
３１ｂ      軸部
３１ｃ      ボルト頭
３２        ナット
４０        折板屋根
４２        頂部
４５        ハゼ部（突出部）
４７        ボルト体（突出部）
【図１】
0005991682.tif 000002
【図２】
0005991682.tif 000003
【図３】
0005991682.tif 000004
【図４】
0005991682.tif 000005
【図５】
0005991682.tif 000006
【図６】
0005991682.tif 000007
【図７】
0005991682.tif 000008
【図８】
0005991682.tif 000009
【図９】
0005991682.tif 000010